(57)【要約】  【課題】  成長期のバストにカップ布の上辺をフィットさせ、肩紐のずり落ちも防止する。  【解決手段】  左右のカップ布１１と背面布１８との間に連結する肩紐１９を伸縮性を有する扁平な帯状紐２０から形成し、該帯状紐２０は前記カップ布１１との連結側では幅方向に複数本に分岐させた分離紐２３、２４となり、最外側位置の脇側分離紐２３は前記カップ布１１の上端部１１ａに縫着され、他の中央側分離紐２４は所要寸法をあけた中央側上辺１１ｂに縫着されていることを特徴とする。  【選択図】  図１
2005320659.tif 000002
【特許請求の範囲】
【請求項１】
左右のカップ布の上辺と背面布との間に連結する肩紐を伸縮性を有する扁平な帯状紐から形成し、該帯状紐は前記カップ布連結側では幅方向に複数本に分岐させた分離紐となり、最外側位置の分離紐は前記カップ布上辺の上端に縫着され、他の分離紐は所要寸法をあけた中央部側のカップ布上辺に縫着されていることを特徴とするカップ部を有する衣類。
【請求項２】
前記肩紐の分岐位置は、前記カップ布の上端縫着位置から３ｃｍ以上１０ｃｍ以下を隔てた位置で、２本以上５本以下の前記分離紐に分岐させ、これら複数本の分離紐は前記カップ布上辺の上端より中央部側へ、隣接する分離紐と１ｃｍ以上の間隔をあけて縫着している請求項１に記載のカップ部を有する衣類。
【請求項３】
前記肩紐を構成する前記帯状紐は幅を６ｍｍ以上３ｃｍ以下とし、幅方向にパワーを変化させて外側部分を内側部分よりもパワーを大とし、該帯状紐から分岐する前記複数本の分離紐は、最外側の分離紐のパワーを最大とする一方、最内側の分離紐のパワーを最小としている請求項１または請求項２に記載のカップ部を有する衣類。
【請求項４】
前記帯状紐は、パワーが大きい第一生地を外側に配置し、パワーが小さい第二生地を内側に配置し、これら第一生地と第二生地とを幅方向で縫着して一体化させた素材からなり、前記分離紐は第一生地と第二生地との縫着位置で分岐させた２本の分離紐からなり、
第一生地の幅Ｗ１と第二生地の幅Ｗ２とは、Ｗ１：Ｗ２＝１：１〜５：１の範囲とし、かつ、第一生地のパワーＦ１に対して第二生地のパワーＦ２は、Ｆ１＞Ｆ２＞１／５・Ｆ１の範囲としている請求項３に記載のカップ部を有する衣類。
【請求項５】
前記カップ布の脇側上辺に沿って伸縮テープが縫着され、該伸縮テープの上端に前記最外側の分離紐の先端を縫着し、かつ、
前記肩紐は背面側で調節環に通した後に前記背面布上辺に取り付けたリンクに通して折り返し、先端を前記調節環に取り付けている請求項１乃至請求項４のいずれか１項に記載のカップ部を有する衣類。
【請求項６】
ジュニア用ブラジャーからなる請求項１乃至請求項５のいずれか１項に記載のカップ部を有する衣類。
【発明の詳細な説明】
【技術分野】
【０００１】
本発明は、ブラジャー等のカップ部を有する衣類に関し、特に、ジュニア用のブラジャーとして好適なものである。  
【背景技術】
【０００２】
近時、バストの膨らみが形成されつつある１０代前半の成長段階からブラジャーを着用する傾向にあり、ジュニア用ブラジャーが提供されている。このようなジュニア用ブラジャーは、大人用のブラジャーのカップサイズを単に小さくしたり、アンダーバストサイズを小さくしただけのものが多く、成長段階のバストの身体的な特徴を考慮して設計されているものは殆ど無い。
【０００３】
例えば、若年層のバストは未成熟で皮下脂肪が少ないため、カップサイズの小さいブラジャーであってもカップ布の上辺がバストにフィットしないで浮き上がりやすく、バストとカップ布との間に隙間ができることがよくある。特に、大人用のブラジャーは、バストアップなどの造形性を追求したものが殆どであるため、カップ布の下部にはバスト保持力の高い素材を配置するが、カップ布の上部は、持ち上げたバストを強く押さえつけない素材、形状で構成している場合が多い。
また、学校卒業前の若年層は運動量が多いため、これら若年用のブラジャーには、運動時におけるバストの上下の揺れを抑制する機能と肩紐のずり落ちを抑制する機能が強く求められる。
【０００４】
前記問題のうちバストとカップ布とのフィット性に関して、若年用ブラジャーに関するものではないが、実公昭４１−３３０９号（特許文献１）で、図５に示すブラジャー１のように、カップ布２の上端２aに縫着した肩紐３に短い吊上紐４を連結し、該吊上紐４をカップ布２の脇側端辺２ｂに縫着することを提案している。しかしながらこのブラジャー１は、下方または脇側に流れやすい乳房の型崩れの矯正を目的としたものであるため、主にカップ布２の上端２ａよりも脇側部分を引っ張り上げる構造となっており、カップ布２の中央側上辺がバストから浮き上がることを抑制するものではない。
【０００５】
また、肩紐のずり落ち防止については、特開２００２−３０９４０８号（特許文献２）で、図６に示すブラジャー５のように、肩紐７の縦方向の中心線７ａから腕側にあたる外側サイド８と首側にあたる内側サイド９とで伸縮強度を異ならせ、外側サイド８から内側サイド９に向けて徐々に伸縮強度を弱めることを提案している。通常の肩は、首側から腕側に向かって下がっているため、前記のように肩紐７の外側サイド８の伸縮強度を内側サイド９よりも強くすることにより、傾斜した肩形状に肩紐７が沿いやすく、肩紐７と肩との接触面積を増やすことができる。また、一般的に伸縮素材は、伸縮圧の高い方から低い方へと伸縮圧が働く傾向にあるため、外側サイド８の伸縮圧が内側サイド９よりも高い肩紐７は肩からずり落ちにくくなる。
しかしながら、運動量が多いうえ、バージスラインが明確に形成されていない若年層は、ブラジャーのカップ布そのものがずり上がりやすいため、前記構成のブラジャー５では、カップ布６のずり上がりによって肩紐７が肩から少しでも浮き上がると、ずり落ちを十分に防止することができない。
【０００６】
【特許文献１】実公昭４１−３３０９号公報
【特許文献２】特開２００２−３０９４０８号公報
【発明の開示】
【発明が解決しようとする課題】
【０００７】
本発明は前記問題に鑑みてなされたもので、成長段階にある未成熟なバストにもよくフィットし、かつ、肩紐のずり下がりを抑制することができるカップ部を有する衣類の提供を課題としている。
【課題を解決するための手段】
【０００８】
前記課題を解決するために、本発明は、左右のカップ布の上辺と背面布との間に連結する肩紐を伸縮性を有する扁平な帯状紐から形成し、該帯状紐は前記カップ布連結側では幅方向に複数本に分岐させた分離紐となり、最外側位置の分離紐は前記カップ布上辺の上端に縫着され、他の分離紐は所要寸法をあけた中央部側のカップ布上辺に縫着されていることを特徴とするカップ部を有する衣類を提供している。
【０００９】
前記構成とすることにより、カップ布を上端一箇所で引っ張り上げるのではなく、帯状の肩紐から分岐する中央部側の分離紐によって、カップ布の中央部側上辺も引っ張り上げることができる。従って、皮下脂肪が少なく未成熟な成長段階のバストに着用したとき、カップ布上辺、特に中央部側上辺がフィットして安定感が増すうえ、バストとカップ布上辺との間に生じやすかった隙間を無くして、運動時のバストの上下の揺れによる衝撃を緩やかに吸収することができる。
また、帯状紐から分離した中央部側の分離紐がカップ布の中央部側上辺に縫着されているため、この内側の分離紐が肩紐全体を内側へと引っ張るうえ、肩紐が、内側の分離紐の根元から折れて外側に小さく倒れることはあっても、最外側の分離紐の根元から折れて大きく倒れることを抑制するため、肩紐が肩から完全にずり落ちることを防止することができる。
【００１０】
前記肩紐の分岐位置は、前記カップ布の上端縫着位置から３ｃｍ以上１０ｃｍ以下を隔てた位置で、２本以上５本以下の前記分離紐に分岐させ、これら複数本の分離紐は前記カップ布上辺の上端より中央部側へ、隣接する分離紐と１ｃｍ以上の間隔をあけて縫着することが好ましい。
前記分岐位置をカップ布の上端縫着位置から３ｃｍ以上１０ｃｍ以下としているのは、３ｃｍ未満では隣接する分離紐間の間隔を十分に確保できないうえ、分岐位置が下がりすぎて、肩紐のずり落ち防止効果を十分に発揮できず、１０ｃｍより大きいと、内側の分離紐がアウターのネックラインから露出しやすくなるうえ、内側の分離紐の伸縮方向が上下方向に近くなり、内側への引っ張り作用が低下することに因る。
分離紐を２本以上５本以下としているのは、５本より多くても、カップ布のフィット性向上と肩紐のずり落ち防止の効果は殆ど向上しないうえ、内側の分離紐がアウターのネックラインから露出しやすくなり、また、材料費が縫製の手間がかかることに因る。
隣接する分理紐間の間隔を１ｃｍ以上としているのは、１ｃｍ未満では、分離紐によって引っ張りあげる位置が狭い範囲に集中しすぎるためである。
【００１１】
前記肩紐を構成する前記帯状紐は幅を６ｍｍ以上３ｃｍ以下とし、幅方向にパワーを変化させて外側部分を内側部分よりもパワーを大とし、該帯状紐から分岐する前記複数本の分離紐は、最外側の分離紐のパワーを最大とする一方、最内側の分離紐のパワーを最小とすることが好ましい。これにより、首側から腕側にかけて下がる通常の肩形状に肩紐が沿いやすく、肩紐と肩との接触面積が増えるうえ、肩紐の伸縮性がパワーの高い外側部分からパワーの弱い内側部分へと働き、肩紐のずり下がりを抑制することができる。なお、帯状紐の幅を６ｍｍ以上３ｃｍ以下としているのは、６ｍｍ未満では、細すぎて肩にかかる負担が大きくなり、３ｃｍより大きいと、アウターのネックラインから露出しやすくなることに因る。
【００１２】
前記帯状紐は、パワーが大きい第一生地を外側に配置し、パワーが小さい第二生地を内側に配置し、これら第一生地と第二生地とを幅方向で縫着して一体化させた素材からなり、前記分離紐は第一生地と第二生地との縫着位置で分岐させた２本の分離紐からなり、第一生地の幅Ｗ１と第二生地の幅Ｗ２とは、Ｗ１：Ｗ２＝１：１〜５：１の範囲とし、かつ、第一生地のパワーＦ１に対して第二生地のパワーＦ２は、Ｆ１＞Ｆ２＞１／５・Ｆ１の範囲としている。第一生地の幅Ｗ１を第二生地の幅Ｗ２の５倍以下としているのは、５倍より大きくなると、肩紐全体幅が大きくなりすぎ、アウターから露出しやすくなることに因る。また、第二生地のパワーＦ２を第一生地のパワーＦ１の５分の１よりも大としているのは、５分の１以下では、第二生地による引き上げ力が少なくなり過ぎることに因る。
【００１３】
前記カップ布の脇側上辺に沿って伸縮テープが縫着され、該伸縮テープの上端に前記最外側の分離紐の先端を縫着し、かつ、前記肩紐は背面側で調節環に通した後に前記背面布上辺に取り付けたリンクに通して折り返し、先端を前記調節環に取り付けていることが好ましい。このように、カップ布の脇側上辺に伸縮テープを縫着することにより、カップ布の中央側上辺のみでなく、脇側上辺も小さいバストにフィットさせることができるうえ、運動時に特に身体挙動の大きい脇側部分の運動追従性を高めることができる。また、肩紐に前記のように調節環を取り付けることにより、バストや身体の成長に合わせて肩紐を最適な長さに調節することができる。
【００１４】
前記構成のカップ部を有する衣類は、ジュニア用ブラジャーとして特に好適である。なお、若年用のブラスリップ、水着、レオタード、ブラ付きシャツ等にも適用することができる。
【発明の効果】
【００１５】
上述したように、本発明に係るブラジャー等のカップ部を有する衣類によれば、帯状紐から分岐した内側の分離紐がカップ布の中央側上辺に縫着されているため、該分離紐の引っ張り力によって、皮下脂肪の少ない成長段階のバストにもカップ布の上辺をフィットさせることができ、着用感を良好なものとすることができると共に、運動時のバストの上下の揺れを抑制することができる。
【００１６】
また、内側の分離紐が、帯状紐を分岐位置で中央側へと引っ張るため、帯状紐がカップ布との縫着位置の根元から大きく外側に倒れることを抑制できる。さらに、肩紐を構成する外側の第一生地の幅およびパワーを内側の第二生地の幅およびパワーも大きくし、かつその比率を前記一定範囲内とすることにより、肩紐のずり落ち抑制効果を一層高めることができる。
【発明を実施するための最良の形態】
【００１７】
以下、発明の実施形態を図面を参照して説明する。
図１乃至図３は、本発明の第一実施形態にかかるブラジャー１０を示す。
ブラジャー１０は、左右のバストを覆う左右一対の表側カップ布１２と肌側カップ布１３とからなる左右カップ布１１、バージスラインに沿ってカップ布１１の下部を覆う土台布１７、左右背面布１８、および左右肩紐１９よりなる。
【００１８】
前記肌側カップ布１３は、図２に示すように、バスト上側部を覆うカップ上側部材１１４と、バスト下側部の中央側を覆うカップ中央側部材１５と、バスト下側部の脇側を覆うカップ脇側部材１６とからなり、いずれも吸水速乾に優れたダブルニットよりなる生地で形成している。
【００１９】
詳しくは、前記カップ上側部材１４の形状は、乳頭位置近傍を通り、脇側へはカップ布１１の脇側上辺１１ｃまで、中央側へはバージスラインに沿ったカップ布下辺１１ｄの中央寄りの位置まで延びる上下境界線Ａよりも上側のバストを覆う形状とし、前記カップ中央側部材１５は、乳頭位置近傍よりカップ布下辺１１ｄの下端点１１ｅまで延びる左右境界線Ｂよりも中央側で前記上下境界線Ａよりも下側のバストを覆う略三角形状とし、前記カップ脇側部材１６は、左右境界線Ｂよりも脇側で上下境界線Ａよりも下側のバストを覆う形状としている。
【００２０】
前記カップ上側部材１４とカップ中央側部材１５とカップ脇側部材１６とは、まず、左右境界線Ｂで隣接するカップ中央側部材１５とカップ脇側部材１６とを互いに縫着し、次に、上下境界線Ａで隣接するカップ上側部材１４と、カップ中央側部材１５およびカップ脇側部材１６とを連続的に縫着して、肌側カップ布１３を形成している。前記左右境界線Ｂに沿った縫着部Ｈ２と上下境界線Ａに沿った縫着部Ｈ１の裏側には、伸びの小さい縁テープ３１を縫着している。
また、前記肌側カップ布１３の表側には、ラッセルレースで形成した表側カップ布１２を周縁に一体に縫着している。
【００２１】
前記構成よりなる左右のカップ布１１は土台布１７によって連結されている。詳しくは、土台布１７は、肌側の非伸縮性のマーキジットと表側のラッセルレースとの２枚合わせ生地で形成され、湾曲した左右の上辺１７ａを、左右のカップ布１１の下辺１１ｄのうち、下端点１１ｅから中央側端１１ｆまでの中央側下辺１１ｈに縫着している。
また、カップ布下辺１１ｄのうち、下端点１１ｅから脇側端１１ｇまでの脇側下辺１１ｉには背面布１８を縫着し、背面布１８の中央側端縁１８ｂには土台布１７の脇側端縁１７ｂを縫着している。この背面布１８は、背面側中央で左右に分離され、留め具３５ａ、３５ｂで着脱自在に連結する構成としている。
【００２２】
左右のカップ布１１の中央側上辺１１ｂから背面布１８の上端縁１８ａにかけて肩紐１９を取り付けている。詳しくは、この肩紐１９は、伸縮性を有する扁平な帯状紐２０と、正面側で帯状紐２０から幅方向に分岐する２本の分離紐２３、２４とからなり、正面側へは分離紐２３、２４をカップ布１１に縫着し、背面側へは、帯状紐２０を背面側で調節環２５に通した後、該帯状紐２０の後端部を、背面布１８の上端縁１８ａに取り付けられたリンク２６に通して折り返し、その後端部を調節環２５に通して連結している。この調節環２５の位置をスライドさせることによって、肩紐１９の長さを調節できる構成としている。
【００２３】
図３（Ａ）に示すように、前記帯状紐２０は、本実施形態では、幅Ｗを１３ｍｍとし、幅方向にパワーを変化させて外側（脇側）部分のパワーを内側（中央側）部分のパワーよりも大としている。本実施形態では、パワーの大きい第一生地２１を外側に、パワーの小さい第二生地２２を内側に配置して幅方向に縫着して一体化して帯状紐２０を形成している。第一生地２１の幅Ｗ１は８ｍｍ、第二生地２２の幅Ｗ２は５ｍｍとし、第一生地２１のパワーＦ１は第二生地２２のパワーＦ２より大としている。
前記帯状紐２０は、カップ布１１の上端部１１ａより上方に５ｃｍ隔てた位置の、前記第一生地２１と第二生地２２との縫着部Ｈ３で分岐し、分岐した第一生地２１をそのまま脇側分離紐２３とし、分岐した第二生地２２をそのまま中央側分離紐２４としている。脇側分離紐２３の先端はカップ布１１の上端部１１ａに縫着し、中央側分離紐２４の先端はカップ布１１の中央側上辺１１ｂに縫着しており、脇側分離紐２３とカップ布１１との縫着部Ｈ４と中央側分離紐２４とカップ布１１との縫着部Ｈ５との距離Ｌ１は２５ｍｍとしている。
【００２４】
前記左右カップ布１１の裏面側には、カップ布下辺１１ｃに沿ってＵ状に湾曲した樹脂ワイヤー（図示せず）を収容した封入布２８を縫着している。また、カップ布１１の脇側上辺１１ｃから背面布１８の上端縁１８ａにかけては、裏面側に伸縮性のある縁テープ２９を連続的に縫着し、カップ布１１の上端部１１ａで該縁テープ２９を脇側分離紐２３と縫着して連続させている。さらに、土台布１７の下端縁１７ｃから背面布１８の下端縁１８ｃにかけては、裏面側に伸縮性のある幅広の縁テープ３０を縫着している。
【００２５】
前記構成のブラジャー１０は、帯状紐２０から分岐した脇側分離紐２３と中央側分離紐２４が、カップ布１１の上端部１１ａと該上端部１１ａから２５ｍｍ隔てた位置の２箇所に縫着されているため、成長段階にあって皮下脂肪がまだ少ない若年層のバストに着用しても、カップ布１１の中央側上辺１１ｂが前記分離紐２３、２４に引っ張られてバストにフィットしやすくなる。
【００２６】
また、中央側分離紐２４は、帯紐２０に対して、上下方向ではなく内側下方に引っ張り作用するため、帯紐２０の外側へのずれを抑制できるうえ、たとえ帯状紐２０が外側にずれても、殆どの場合は、図３（Ｂ）に示すように、中央側分離紐２４の根元、即ち縫着部Ｈ５で折れて外側に倒れるだけであって、最外側の脇側分離紐２３の根元、即ち縫着部Ｈ４で折れて大きく倒れることを阻止できるため、肩紐１９全体が肩Ｓからずり落ちることを防止できる。さらに、帯状紐２０を構成する外側の第一生地２１は内側の第二生地２２よりも幅が広く、かつ、第一生地２１のパワーＦ１は第二生地２２のパワー２２よりも大きいため、外側に向かって下がる通常の肩Ｓの形状に沿いやすいうえ、帯状紐２０の伸縮性がパワーの弱い内側へと働き、この点からも肩紐１９のずり落ちを防止することができる。
【００２７】
さらにまた、カップ布１１の脇側上辺１１ｃに沿って伸縮テープ２９を縫着しているため、皮下脂肪の少ないバストにも脇側上辺１１ｃがフィットしやすく、カップ布１１とバストの間に隙間ができることを防止できる。また、肩紐１９に調節環２５を取り付けて容易に長さ調節できる構成としているため、成長に伴うサイズ変化にも対応でき、肩紐の食い込みや肩紐のずり下がりを防止することができる。
【００２８】
図４は本発明の第二実施形態を示し、肩紐１９を、幅方向にパワーを変化させて形成した帯状紐４０と、該帯状紐４０から分岐する３本の分離紐４１、４２、４３とで構成している点で第一実施形態と相違するが、その他の点は第一実施形態と同一構成であるため、同一符号を付して説明を省略する。
【００２９】
帯状紐４０は、幅Ｗ’を１８ｍｍとし、幅方向の内側端４０ｂから外側端４０ａに向かってパワーを漸増させて形成している。該帯状紐４０は、正面側で、カップ布１１の上端部１１ａより上方に７０ｍｍ隔てた位置で、幅方向に３本の分離紐４１、４２、４３に分岐しているが、帯状紐４０と各分離紐４１〜４３とは連続一体に形成している。
【００３０】
脇側分離紐４１の幅Ｗ１’は１０ｍｍとし、中央側分離紐４２の幅Ｗ２’は５ｍｍとし、中間分離紐４３の幅Ｗ３’は３ｍｍとしている。また、脇側分離紐４１のパワーＦ１’と中央側分離紐４２のパワーＦ２’と中間分離紐４３のパワーＦ３’は、Ｆ１’＞Ｆ３’＞Ｆ２’とし、Ｆ１’はＦ２’の約２倍としている。
また、脇側分離紐４１と中間分離紐４３と中央側分離紐４２は、カップ布１１の上端部１１ａから順に中央寄りの位置にずらしながら脇側上辺１１ｂに縫着している。このとき、カップ布１１と脇側分離紐４１との縫着部Ｈ６と、カップ布１１と中間分離紐４３との縫着部Ｈ７との距離Ｌ２を３０ｍｍとし、カップ布１１と中央側分離紐４２との縫着部Ｈ８と前記縫着部７との距離Ｌ３を２５ｍｍとしている。
【００３１】
本実施形態においても、最外側の脇側分離紐４１のパワーＦ１’を最大とする一方、最内側の中央側分離紐４２のパワーＦ２’を最小とし、帯状紐４０も、内側から外側に向かってパワーを漸増させているため、肩紐１９が肩形状に沿いやすくなると共に、内側へと働く伸縮性によって肩紐１９の外側へのずり落ちを防止することができる。また、カップ布１１と肩紐１９とを、適度に離隔した三箇所で縫着しているため、隙間が生じがちなカップ布１１の上辺がバストにフィットしやすくなる。
【産業上の利用可能性】
【００３２】
なお、本発明は前記実施形態に限定されるものではない。例えば、前記背開きタイプのブラジャーのほか、前開きタイプ、あるいは被りタイプのブラジャーでもよい。また、ブラスリップ、ブラつきシャツにも適用でき、さらにレオタードや水着等に適用することもできる。さらに、分離紐の本数は４本あるいは５本でもよく、別に形成した分離紐と帯状紐とを分岐位置で連結または縫着する構成としてもよい。
【図面の簡単な説明】
【００３３】
【図１】本発明の第一実施形態に係るブラジャーの表側平面図である。
【図２】図１に示すブラジャーの裏側平面図である。
【図３】図１に示すブラジャーの肩紐部分を示し、（Ａ）は通常の着用状態の正面図であり、（Ｂ）は肩紐の位置ずれ状態を示す正面図である。
【図４】本発明の第二実施形態にかかるブラジャーの要部を示す図である。
【図５】従来例の図である。
【図６】他の従来例の図である。
【符号の説明】
【００３４】
１０  ブラジャー
１１  カップ布
１１ａ  上端部
１１ｂ  中央側上辺
１１ｃ  脇側上辺
１８  背面布
１９  肩紐
２０、４０  帯状紐
２１  第一生地
２２  第二生地
２３、４１  脇側分離紐
２４、４２  中央側分離紐
４３  中間分離紐
Ｈ１〜Ｈ８  縫着部
【図１】
2005320659.tif 000003
【図２】
2005320659.tif 000004
【図３】
2005320659.tif 000005
【図４】
2005320659.tif 000006
【図５】
2005320659.tif 000007
【図６】
2005320659.tif 000008